(57)【要約】【課題】物干し竿を浴室内に支持するための物干し竿受け具を、浴室側壁に新たに取り付け施工することなく、風呂蓋を用いて、物干し竿を浴室内に支持することのできる物干し竿受け部付き風呂蓋及びこれを備えた浴室内物干し構造を提供すること。【解決手段】本発明の物干し竿受け部付き風呂蓋は、浴槽開口部１ａを閉塞自在とする風呂蓋３に、浴室側壁２に沿って立て掛ける際に浴槽フランジ１ｂ上に載置される載置部３ｄと、物干し竿５を支持する物干し竿受け部７とを設け、上記風呂蓋３、３を、一端側浴槽フランジ１ｆ上、および他端側浴槽フランジ１ｇ上に載置し、両物干し竿受け部７、７に、物干し竿５の両端部５ｂ、５ｂを略水平に支持させる。【選択図】図１
2011004987.tif 000002
【特許請求の範囲】
【請求項１】
浴槽開口を閉塞自在とする風呂蓋に、浴室側壁に沿って立て掛ける際に浴槽フランジ上に載置される載置部と、物干し竿を支持する物干し竿受け部とを設けたことを特徴とする物干し竿受け部付き風呂蓋。
【請求項２】
浴槽開口部を閉塞する２枚の風呂蓋を一端側浴槽フランジの上方の浴室側壁に沿って重ねて起立させた際に、２枚の風呂蓋が浴槽側に転倒することを防止する風呂蓋フックを浴室側壁の一端側浴槽フランジよりも上方に設け、浴槽両端の浴槽フランジの端縁に沿って夫々浴室側壁を立設する風呂蓋付き浴室において、上記２枚の風呂蓋の一端縁に載置部が設けられ、他端縁に物干し竿受け部が設けられ、上記風呂蓋フックは、浴室側壁より正面方向に突出する突出部と、該突出部の先端部から下方に向かって延設される延設部とからなり、該延設部には、下方に開口する溝が形成されており、上記２枚の風呂蓋は、一方の風呂蓋の載置部が一端側浴槽フランジ上に載置されると共に、該載置部とは逆側の他端縁が風呂蓋フックの延設部と浴室側壁との間に位置するよう設けられ、他方の風呂蓋の載置部が他端側浴槽フランジ上に載置されると共に、該載置部とは逆側の他端縁が該他端側浴槽フランジの上方の浴室側壁に支持され、上記２枚の風呂蓋の他端縁の物干し竿受け部に、物干し竿の両端部を略水平に支持させ、物干し竿の片側の端部を、上記延設部の溝内に位置させたことを特徴とする物干し竿受け部付き風呂蓋を備えた浴室内物干し構造。
【請求項３】
浴槽開口部を閉塞する風呂蓋を一端側浴槽フランジの上方の浴室側壁に沿って起立させた際に、風呂蓋が浴槽側に転倒することを防止する風呂蓋フックを浴室側壁の一端側浴槽フランジよりも上方に設け、浴槽両端の浴槽フランジの端縁に沿って夫々浴室側壁を立設する風呂蓋付き浴室において、上記風呂蓋の一端縁に載置部が設けられ、他端縁に物干し竿受け部が設けられ、該物干し竿受け部は、風呂蓋の面方向に沿って風呂蓋の外方に突出自在に形成され、上記風呂蓋フックの上部には、物干し竿を支持する物干し竿支持部が設けられ、上記風呂蓋の載置部が他端側浴槽フランジ上に載置され、該載置部とは逆側の他端縁が該他端側浴槽フランジの上方の浴室側壁に支持され、風呂蓋の他端縁の物干し竿受け部と、風呂蓋フックの物干し竿支持部とで、物干し竿の両端部を略水平に支持することを特徴とする物干し竿受け部付き風呂蓋を備えた浴室内物干し構造。
【発明の詳細な説明】
【技術分野】
【０００１】
本発明は、風呂蓋を用いて物干し竿を浴室内に支持する浴室内物干し構造に関するものである。
【背景技術】
【０００２】
近年の浴室内の暖房換気乾燥機の進化と共に、浴室内で衣類の乾燥を行う世帯が急増している。ところが、現行の物干し構造では、図１０（ａ）に示すように、物干し竿５´を１本設置が基本であり、１本だけでは、充分な量の洗濯物を干すことができないという問題があった。
【０００３】
そこで、図１０（ｂ）に示す特許文献１記載の浴室内物干し構造のように、物干し竿５を増設したい場合には、物干し竿受け具６を、別途、浴室側壁２にビス等で取り付け施工しなければならないという問題があった。
【先行技術文献】
【特許文献】
【０００４】
【特許文献１】特開２０００−１６７２９６号公報
【発明の概要】
【発明が解決しようとする課題】
【０００５】
本発明は、物干し竿を浴室内に支持するための物干し竿受け具を、浴室側壁に新たに取り付け施工することなく、風呂蓋を用いて、物干し竿を浴室内に支持することのできる物干し竿受け部付き風呂蓋及びこれを備えた浴室内物干し構造を提供することを課題とする。
【課題を解決するための手段】
【０００６】
上記課題を解決するための本発明の物干し竿受け部付き風呂蓋は、浴槽開口部１ａを閉塞自在とする風呂蓋３に、浴室側壁２に沿って立て掛ける際に浴槽フランジ１ｂ上に載置される載置部３ｄと、物干し竿５を支持する物干し竿受け部７とを設けたことを特徴とする。
【０００７】
このような構成とすることで、載置部３ｄを利用して浴槽フランジ１ｂ上に風呂蓋３を立て掛ければ、風呂蓋３に設けた物干し竿受け部７を用いて物干し竿５を浴室内に支持することができる。
【０００８】
また、浴槽開口部１ａを閉塞する２枚の風呂蓋３、３を一端側浴槽フランジ１ｆの上方の浴室側壁２に沿って重ねて起立させた際に、２枚の風呂蓋３、３が浴槽側に転倒することを防止する風呂蓋フック４を浴室側壁２の一端側浴槽フランジ１ｆよりも上方に設け、浴槽両端の浴槽フランジ１ｂの端縁１ｃ、１ｃに沿って夫々浴室側壁２、２を立設する風呂蓋付き浴室において、上記２枚の風呂蓋３、３の一端縁３ｂに載置部３ｄが設けられ、他端縁３ｅに物干し竿受け部７が設けられ、上記風呂蓋フック４は、浴室側壁２より正面方向に突出する突出部４ａと、該突出部４ａの先端部から下方に向かって延設される延設部４ｂとからなり、該延設部４ｂには、下方に開口する溝４ｃが形成されており、上記２枚の風呂蓋３、３は、一方の風呂蓋３の載置部３ｄが一端側浴槽フランジ１ｆ上に載置されると共に、該載置部３ｄとは逆側の他端縁３ｅが風呂蓋フック４の延設部４ｂと浴室側壁２との間に位置するよう設けられ、他方の風呂蓋３の載置部３ｄが他端側浴槽フランジ１ｇ上に載置されると共に、該載置部３ｄとは逆側の他端縁３ｅが他端側浴槽フランジ１ｇの上方の浴室側壁２に支持され、上記２枚の風呂蓋３、３の他端縁３ｅ、３ｅの物干し竿受け部７、７に、物干し竿５の両端部５ｂ、５ｂを略水平に支持させ、物干し竿５の片側の端部５ｂを、上記延設部４ｂの溝４ｃ内に位置させることが好ましい。
【０００９】
このように、風呂蓋３、３に設けた物干し竿受け部７、７で、物干し竿５の両端５ｂ、５ｂを支持し、さらに物干し竿５の片方の端部５ｂを風呂蓋フック４に設けた溝４ｃ内に位置させることで、物干し竿５の下方を風呂蓋３の他端縁３ｅの物干し竿受け部７で支持し、物干し竿５の上方及び左右方向を風呂蓋フック４で支持することができる。
【００１０】
また、浴槽開口部１ａを閉塞する風呂蓋３を一端側浴槽フランジ１ｆの上方の浴室側壁２に沿って起立させた際に、風呂蓋３が浴槽側に転倒することを防止する風呂蓋フック４を浴室側壁２の一端側浴槽フランジ１ｆよりも上方に設け、浴槽両端の浴槽フランジ１ｂの端縁１ｃ、１ｃに沿って夫々浴室側壁２、２を立設する風呂蓋付き浴室において、上記風呂蓋３の一端縁３ｂに載置部３ｄが設けられ、他端縁３ｅに物干し竿受け部７が設けられ、該物干し竿受け部７は、風呂蓋３の面方向に沿って風呂蓋３の外方に突出自在に形成され、上記風呂蓋フック４の上部には、物干し竿５を支持する物干し竿支持部４ｄが設けられ、上記風呂蓋３の載置部３ｄが他端側浴槽フランジ１ｇ上に載置され、該載置部３ｄとは逆側の他端縁３ｅが該他端側浴槽フランジ１ｇの上方の浴室側壁２に支持され、上記風呂蓋３の他端縁３ｅの物干し竿受け部７と、上記風呂蓋フック４の物干し竿支持部４ｄとで、物干し竿５の両端部５ｂ、５ｂを略水平に支持することが好ましい。
【００１１】
このような構成とすることで、風呂蓋フック４と風呂蓋３とを用いて、物干し竿５を浴室内に略水平に支持することができる。
【発明の効果】
【００１２】
本発明は、新しく物干し竿受け具を浴室側壁に取り付け施工しなくとも、風呂蓋に設けた物干し竿受け部で物干し竿を浴室内に支持することができるという効果がある。また、浴槽フランジ上に立て掛けた風呂蓋で物干し竿を支持することで、浴槽よりも少し高い位置にハンガー等を掛けて洗濯物を干すことになるので、浴槽内部空間も有効利用することができるという効果がある。また、窓があって物干し受け具を取り付け施工できない場合であっても、浴槽フランジ上に風呂蓋を立て掛けることで、浴室内に物干し竿を支持することができるという効果がある。
【００１３】
また、物干し竿の片側の端部を風呂蓋フックに設けた溝内に位置させて、風呂蓋の載置部とは逆側の他端縁に設けた物干し竿受け部で物干し竿を支持することで、風呂蓋と風呂蓋フックとで、物干し竿が上下左右方向にずれることを防ぐことができ、安定して物干し竿を支持することができるという効果がある。
【００１４】
また、風呂蓋フックに物干し竿支持部を設け、風呂蓋に風呂蓋外方に突出自在な物干し竿受け部を設けることで、風呂蓋フックと風呂蓋を用いて、物干し竿を浴室内に略水平に支持することができるという効果がある。ここで、風呂蓋が１枚しか無い場合であっても、風呂蓋を他端側浴槽フランジ上に立て掛けることで、風呂蓋フックと風呂蓋とで物干し竿を浴室内に略水平に支持することができるという効果がある。
【図面の簡単な説明】
【００１５】
【図１】本発明の実施形態１の浴室内物干し構造を示す。
【図２】上記浴室内物干し構造の（ａ）は風呂蓋の平面図を示し、（ｂ）は、物干し竿受け部の拡大平面図を示す。
【図３】上記浴室内物干し構造の風呂蓋フックの（ａ）は、正面図を示し、（ｂ）は、側面図を示し、（ｃ）は、平面図を示す。
【図４】本発明の実施形態２の浴室内物干し構造を示す。
【図５】上記浴室内物干し構造の（ａ）は風呂蓋の平面図を示し、（ｂ）は物干し竿受け部受け具の拡大平面図を示す。
【図６】上記浴室内物干し構造の風呂蓋フックの（ａ）は、正面図を示し、（ｂ）は、側面図を示し、（ｃ）は、平面図を示す。
【図７】本発明の実施形態３の浴室内物干し構造を示す。
【図８】上記浴室内物干し構造の（ａ）は風呂蓋の平面図を示し、（ｂ）は物干し竿受け部受け具の拡大平面図を示し、（ｃ）は突出状態の物干し竿受け部の拡大平面図を示す。
【図９】上記浴室内物干し構造の風呂フックの（ａ）は、正面図を示し、（ｂ）は、側面図を示し、（ｃ）は、平面図を示す。
【図１０】（ａ）は従来例の浴室内物干し構造を示す。（ｂ）は他の従来例の浴室内物干し構造を示す。
【発明を実施するための形態】
【００１６】
以下、本発明を図１に示す実施形態１の浴室内物干し構造に基づいて説明する。
【００１７】
実施形態１の浴室内物干し構造を示す風呂蓋付き浴槽においては、浴槽の長手方向の両端に浴槽フランジ１ｂ（一端側浴槽フランジ１ｆ、他端側浴槽フランジ１ｇ）が設けられ、浴槽フランジ１ｂの端縁１ｃ、１ｃに沿って浴室側壁２、２が夫々立設されている。浴槽開口部１ａは、２枚のパネルからなる風呂蓋３を並列に並べることによって閉塞自在としている。この２枚の風呂蓋３、３を、一端側浴槽フランジ１ｆの上方の浴室側壁２に沿って一端側浴槽フランジ１ｆ上に重ねて起立させた際に、２枚の風呂蓋３、３が浴槽側に転倒することを防止するための風呂蓋フック４が、一端側浴槽フランジ１ｆ上に起立させた風呂蓋３よりも上方の浴室側壁２に回転自在に設けられている。対向する浴室側壁２、２の上部には、物干し竿受け具６、６が取り付けられ、物干し竿５´を支持している。
【００１８】
この２枚の風呂蓋３、３の一端縁３ｂには、浴室側壁２に沿って立て掛ける際に浴槽フランジ１ｂ（一端側浴槽フランジ１ｆ、他端側浴槽フランジ１ｇ）上に載置させるための載置部３ｄが設けられており、その一端縁３ｂと他端縁３ｅとの間に、物干し竿５を支持する物干し竿受け部７が埋設されている（図２（ａ）参照）。物干し竿受け部７は、風呂蓋３の面方向に対して垂直方向に凹の溝状に形成されていて、溝の形状が正面視上下が膨らんだひょうたんの形状になっており（図２（ｂ）参照）、物干し竿５の端部５ｂを入れたあと、スライドさせると端部５ｂが両側に設けられたストッパー片７ａで掛止めされる。なお、物干し竿受け部７の溝は、風呂蓋３を貫通していない。この２枚の風呂蓋３、３は、一端側浴槽フランジ１ｆ上及び、他端側浴槽フランジ１ｇ上に夫々立て掛けた際に、風呂蓋３に取付けた物干し竿受け部７の高さが、略同じになるように、物干し竿受け部７、７の位置が夫々決められている。
【００１９】
上記した風呂蓋フック４は、図３（ａ）〜（ｃ）に示すように、浴室側壁２より正面方向に突出する円柱形状の突出部４ａと、その突出部４ａの先端部から下方に向かって延設される延設部４ｂとから構成されている。その延設部４ｂは、正面から視て、下方に長い楕円状に形成されている。風呂蓋フック４は浴室側壁２に回転自在に設けられているので、風呂蓋フック４の下方に２枚の風呂蓋３を収納する際には、風呂蓋フック４の延設部４ｂが正面から視て左右方向に長い楕円状になるように回転させた状態で、正面から２枚の風呂蓋３を収納し、収納した状態で、風呂蓋フック４の延設部４ｂが正面から視て下方に長い楕円状になるように回転させることで、風呂蓋３が浴槽側に転倒することを風呂蓋フック４で防止する。
【００２０】
上記２枚の風呂蓋３、３は、一方の風呂蓋３の載置部３ｄが、一端側浴槽フランジ１ｆ上に載置され、その載置部３ｄとは逆側の他端縁３ｅが、風呂蓋フック４の延設部４ｂと、一端側浴槽フランジ１ｆの上方の浴室側壁２との間に位置するようにその浴室側壁２に立て掛けて設けられる。また、他方の風呂蓋３の載置部３ｄは、他端側浴槽フランジ１ｇ上に載置され、その載置部３ｄとは逆側の他端縁３ｅは、他端側浴槽フランジ１ｇの上方の浴室側壁２に沿って立て掛けられ、その浴室側壁２に支持されている。ここで一端側浴槽フランジ１ｆ上、および他端側浴槽フランジ１ｇ上には、風呂蓋３を立て掛けた際に、風呂蓋３の載置部３ｄが、浴槽側にずれて来ないようにストッパー１ｄを設けているのが好ましい。または、風呂蓋３に、ずれ防止構造（図示せず）を設けても良い。
【００２１】
物干し竿５を浴室内に取り付ける際には、物干し竿５の片方の端部５ｂを一方の風呂蓋３の物干し竿受け部７に浴槽側から挿入し、物干し竿５のもう片方の端部５ｂを他方の風呂蓋３の物干し竿受け部７に、浴槽側から挿入して、物干し竿５を略水平に支持する。ここで、物干し竿５は、対向する浴室側壁２、２間の長さと略同じものであれば、伸縮性のあるものであっても良いし、伸縮不可のものであっても良い。
【００２２】
上述したように、実施形態１の物干し竿受け部付き風呂蓋を用いた浴室内物干し構造においては、新しく物干し竿受け具６を浴室側壁２に取り付け施工しなくとも、風呂蓋３に物干し竿受け部７を設け、さらに風呂蓋３に浴槽フランジ１ｂ上に載置可能とするための載置部３ｄを設けることで、載置部３ｄを利用して浴槽フランジ１ｂ上に風呂蓋３を立て掛けることができ、一端側浴槽フランジ１ｆ上、および他端側浴槽フランジ１ｇ上にそれぞれ風呂蓋３、３を立て掛ければ、風呂蓋３に設けた物干し竿受け部７を用いて物干し竿５を浴室内に支持することができる。また、浴槽フランジ１ｂ上に風呂蓋３を立て掛け、物干し竿５を支持することで、浴槽よりも少し高い位置にハンガー等を掛けて洗濯物を干すことになるので、浴槽上方空間だけでなく浴槽内部空間１ｅも有効利用することができる。また、窓があって物干し受け具６を適当な箇所に取り付け施工できない場合であっても、浴槽フランジ１ｂ上に風呂蓋３を立て掛けることで、浴室内に物干し竿５を支持することができる。
【００２３】
また、物干し竿受け部７にかかる洗濯物の重量を、浴槽フランジ１ｂ上に立て掛けた風呂蓋３の、物干し竿受け部７下方の部分で支えることになるので、浴室側壁２に取り付けた物干し竿受け具６で物干し竿５´を支持するよりも強い力で支持することができる。
【００２４】
次に図４に示す実施形態２の浴室内物干し構造を示す風呂蓋付き浴槽について、実施形態１の構成と異なる部分のみ、説明する。
【００２５】
２枚の風呂蓋３、３の一端縁３ｂには浴槽フランジ１ｂ上に載置させるための載置部３ｄが設けられており、他端縁３ｅには、物干し竿受け部７が設けられている（図５（ａ）参照）。物干し竿受け部７は、一端縁３ｂ方向に凹の溝状に形成されていて、溝の形状が正面視Ｕ字形状になっている（図５（ｂ）参照）。物干し竿受け部７の溝に、物干し竿５の端部５ｂを入れ、溝内で端部５ｂを下方にスライドさせると、端部５ｂがＵ字形状の溝の両側に設けられたストッパー片７ａで掛止めされる。なお、物干し竿受け部７の溝は、風呂蓋３を貫通していない。ここで、２枚の風呂蓋３で浴槽開口部１ａを閉じた際に、物干し受け部７の位置が浴槽開口部１ａの上方でないのであれば、物干し竿受け部７を通じて空気が入って浴槽内に溜めた湯の温度を下げることがないので、物干し竿受け部７の溝が風呂蓋３を貫通していても構わない。この２枚の風呂蓋３、３は、一端側浴槽フランジ１ｆ、および他端側浴槽フランジ１ｇ上に夫々立て掛けた際に、風呂蓋３、３に取付けた物干し竿受け部７、７の高さが、略同じになるように、物干し竿受け部７、７の溝の深さが調整されている。
【００２６】
風呂蓋フック４の延設部４ｂは、正面から視て、下方に開口する溝４ｃを有する下向きコ字状に形成されている。溝４ｃは、物干し竿５の端部５ｂが入る程度の開口の大きさになっている（図６（ａ）〜（ｃ）参照）。
【００２７】
風呂蓋フック４の下方に開口する溝４ｃと、風呂蓋３の他端縁３ｅの物干し竿受け部７の溝とが、正面から視て連通するように、風呂蓋３を風呂蓋フック４の下方の一端側浴槽フランジ１ｆ上に載置する。
【００２８】
物干し竿５を浴室内に取り付ける際には、その連通状態の物干し竿受け部７の溝に風呂蓋フック４の溝４ｃを介して、物干し竿５の片側の端部５ｂを浴槽側から挿入し、他方の風呂蓋３の他端縁３ｅの物干し竿受け部７に、上方もしくは浴槽方向から物干し竿５のもう片方の端部５ｂを挿入して、略水平に支持させる。
【００２９】
以上のように、風呂蓋３、３の他端縁３ｅ、３ｅに設けた物干し竿受け部７、７で、物干し竿５の両側の端部５ｂ、５ｂを支持し、さらに物干し竿５の片側の端部５ｂを風呂蓋フック４に設けた溝４ｃ内に位置させることで、物干し竿５の下方を風呂蓋３の他端縁３ｅの物干し竿受け部７で支持し、物干し竿５の上方及び左右方向を風呂蓋フック４でさらに覆うことで、物干し竿５が上下左右方向にずれることを防ぐことができるので安定して物干し竿５を支持することができる。
【００３０】
次に図７に示す実施形態３の浴室内物干し構造を示す風呂蓋付き浴槽について、実施形態１の構成と異なる部分のみ、説明する。
【００３１】
実施形態３においては、２枚のうち片方の風呂蓋３にのみ、載置部３ｄとは逆側の他端縁３ｅに、物干し竿５を支持する物干し竿受け部７が設けられている。その物干し竿受け部７は、風呂蓋３の面方向に沿って風呂蓋３の外方に突出自在なスライド部７ｄから形成されている。他方の風呂蓋３には、物干し竿受け部７は設けられていない（図８（ａ）参照）。スライド部７ｄには、実施形態２の物干し竿受け部７と同形状の溝及びストッパー片７ａが形成されていて、スライド部７ｄを風呂蓋３の外方にスライドさせた状態で、その溝内に物干し竿５の端部５ｂを支持する。物干し竿受け部７には、スライド部７ｄが、スライドした状態をロックするロック手段（図示せず）が設けられている。物干し竿受け部７は、スライド部７ｄ収納時、風呂蓋３の他端縁３ｅからスライド部７ｄが突出しないように形成されている（図８（ｂ）、（ｃ）参照）。
【００３２】
風呂蓋フック４の突出部４ａの先端部から下方だけでなく、上方に向かっても延設部４ｂが延設されている。風呂蓋フック４の下方及び上方に向かって延設される延設部４ｂは、正面から視て、下向きに長い楕円状に形成されている。風呂蓋フック４の上方に向かって延設される延設部４ｂの上部には、物干し竿５を支持する下方に凹の溝状の物干し竿支持部４ｄが設けられている。ここで、物干し竿支持部４ｄは、実施形態２の物干し竿受け部７と同形状の溝及びストッパー片７ａが形成されている。なお、物干し竿支持部４ｄの溝は、延設部４ｂを、風呂蓋フック４が取り付けられた浴室側壁２側に貫通していない（図９（ａ）〜（ｃ）参照）。
【００３３】
ここで、物干し竿受け部７のスライド部７ｄは、物干し竿受け部７の形成された風呂蓋３を、他端側浴槽フランジ１ｇ上の浴槽側壁２に沿って立て掛けた際に、風呂蓋フック４の物干し竿支持部４ｄの高さまで、突出可能である。
【００３４】
物干し竿受け部７を設けていない風呂蓋３の載置部３ｄは、一端側浴槽フランジ１ｆ上に載置され、その載置部３ｄとは逆側の他端縁３ｅは、風呂蓋フック４の下方に向かって延設される延設部４ｂと、一端側浴槽フランジ１ｆの上方の浴室側壁２との間に位置するように、浴室側壁２に立て掛けられる。また、物干し竿受け部７を設けた風呂蓋３の載置部３ｄは、他端側浴槽フランジ１ｇ上に載置され、その載置部３ｄとは逆側の他端縁３ｅは、他端側浴槽フランジ１ｇの上方の浴室側壁２に立て掛けられるようにして浴室側壁２に支持される。
【００３５】
物干し竿５を浴室内に取り付ける際には、物干し竿５の両側の端部５ｂ、５ｂは、風呂蓋フック４の物干し竿支持部４ｄと、物干し竿受け部７の突出状態のスライド部７ｄとに、それぞれ浴槽側、若しくは上方から挿入し、物干し竿５を略水平に支持させる。
【００３６】
このように、風呂蓋フック４に物干し竿支持部４ｄを設け、風呂蓋３の他端縁３ｅに、風呂蓋３外方に突出自在なスライド部７ｄからなる物干し竿受け部７を設けることで、風呂蓋フック４と風呂蓋３とを用いて、物干し竿５を浴室内に略水平に支持することができる。
【００３７】
ここで、洗濯物の重量が大きく、風呂蓋フック４が撓むような場合、一端側浴槽フランジ１ｆ上の風呂蓋３の他端縁３ｅを、風呂蓋フック４の突出部４ａの下方に近接するように立て掛けていれば、風呂蓋３で風呂蓋フック４を支えることができる。
【００３８】
物干し竿５を支持しない際には、物干し竿受け部７のスライド部７ｄを、突出させない収納状態にしておけば、風呂蓋フック４の下方の一端側浴槽フランジ１ｆ上に風呂蓋３をまとめて収納しておくことができる。
【００３９】
実施形態３では、風呂蓋３が２枚の場合について説明したが、風呂蓋３が１枚で浴槽開口部１ａを閉塞する場合、一端側浴槽フランジ１ｆの上方の浴室側壁２に設けた風呂蓋フック４と、他端側浴槽フランジ１ｇに立て掛けた風呂蓋３によって、物干し竿５を浴室内に支持することができる。
【００４０】
また、実施形態１〜３において、浴槽開口部１ａを閉塞する風呂蓋の枚数が３枚であっても、１枚は、風呂蓋フック４の下方に立て掛けたままにしておいて、残りの２枚を実施形態１〜３と同様に扱い、物干し竿５の長さを、風呂蓋１枚分短くするだけで、実施形態１〜３と同様の効果を得ることができる。また、風呂蓋の枚数が４枚であっても同様である。
【００４１】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００４２】
１ａ    浴槽開口部
１ｂ    浴槽フランジ
１ｃ    端縁
１ｄ    ストッパー
１ｆ    一端側浴槽フランジ
１ｇ    他端側浴槽フランジ
２      浴室側壁
３      風呂蓋
３ｂ    一端縁
３ｄ    載置部
３ｅ    他端縁
４      風呂蓋フック
４ａ    突出部
４ｂ    延設部
４ｃ    溝
４ｄ    物干し竿支持部
５      物干し竿
５ｂ    端部
５´    物干し竿
６      物干し竿受け具
７      物干し竿受け部
７ａ    ストッパー片
７ｄ    スライド部
【図１】
2011004987.tif 000003
【図２】
2011004987.tif 000004
【図３】
2011004987.tif 000005
【図４】
2011004987.tif 000006
【図５】
2011004987.tif 000007
【図６】
2011004987.tif 000008
【図７】
2011004987.tif 000009
【図８】
2011004987.tif 000010
【図９】
2011004987.tif 000011
【図１０】
2011004987.tif 000012